【手続補正書】
【提出日】平成29年10月19日(2017.10.19)
【手続補正１】
【補正対象書類名】特許請求の範囲
【補正対象項目名】全文
【補正方法】変更
【補正の内容】
【特許請求の範囲】
【請求項１】
踏切装置および当該踏切装置への警報制御を行う踏切制御装置が設置された路線を走行する列車に搭載されて無線列車制御システムの一部を構成する車上装置から伝送された列車位置情報に基づいて、複数の列車の運行を管理する運行管理装置と、少なくとも前記車上装置および前記運行管理装置との間で、情報または指示を含む信号の授受を行う地上装置と、を備えた運行管理システムであって、
前記運行管理装置は、踏切装置の警報制御が開始される警報開始点に到達した前記列車の運行を一時的に停止する抑止の指示を前記地上装置に送出し、
前記抑止の指示を受けた前記地上装置は、前記車上装置に前記列車を前記踏切装置の手前に強制的に停止させる際の限界位置である停止限界の設定を指示すると共に、前記踏切制御装置に対して警報制御の中断を指示する
ことを特徴とする運行管理システム。
【請求項２】
踏切装置および当該踏切装置への警報制御を行う踏切制御装置が設置された路線を走行する列車に搭載されて無線列車制御システムの一部を構成する車上装置から伝送された列車位置情報に基づいて、複数の列車の運行を管理する運行管理装置と、少なくとも前記車上装置および前記運行管理装置との間で、情報または指示を含む信号の授受を行う地上装置と、を備えた運行管理システムであって、
前記運行管理装置は、前記列車の運行を一時的に停止する抑止の指示を前記地上装置に送出し、
前記抑止の指示を受けた前記地上装置は、前記車上装置に前記列車を前記踏切装置の手前に停止させる際の限界位置である停止限界の設定を指示すると共に、前記停止限界が前記踏切装置の警報制御が開始される警報開始点を超えると判断された場合に、前記踏切制御装置に対して前記警報制御が開始されないように指示する
ことを特徴とする運行管理システム。
【請求項３】
列車の運転を再開させる場合、前記運行管理装置は、前記地上装置を介して前記踏切制御装置の警報制御を行い、前記踏切制御装置によって前記警報制御が行われた後に、前記車上装置に前記停止限界の設定を解除する指示を送出する
ことを特徴とする請求項１または請求項２に記載の運行管理システム。
【請求項４】
前記運行管理装置は、前記踏切制御装置から前記警報制御が行われた旨の完了報告を受け取った後に前記停止限界の設定解除を指示する
ことを特徴とする請求項３に記載の運行管理システム。
【請求項５】
踏切装置および当該踏切装置への警報制御を行う踏切制御装置が設置された路線を走行する列車に搭載され、信号機を用いる列車制御システムの一部を構成する列車位置検知装置から伝送された列車位置情報に基づいて、複数の列車の運行を管理する運行管理装置と、前記列車位置検知装置および前記運行管理装置との間で、情報または指示を含む信号の授受を行う地上装置と、を備えた運行管理システムであって、
前記運行管理装置は、前記踏切装置の警報制御が開始される警報開始点に到達した前記列車の運行を一時的に停止する抑止の指示を前記地上装置に送出し、
前記抑止の指示を受けた前記地上装置は、制御対象の前記信号機に停止現示の表示を指示すると共に、前記踏切制御装置に対して警報制御の中断を指示する
ことを特徴とする運行管理システム。
【請求項６】
踏切装置および当該踏切装置への警報制御を行う踏切制御装置が設置された路線を走行する列車に搭載され、信号機を用いる列車制御システムの一部を構成する列車位置検知装置から伝送された列車位置情報に基づいて、複数の列車の運行を管理する運行管理装置と、前記列車位置検知装置および前記運行管理装置との間で、情報または指示を含む信号の授受を行う地上装置と、を備えた運行管理システムであって、
前記運行管理装置は、前記列車の運行を一時的に停止する抑止の指示を前記地上装置に送出し、
前記抑止の指示を受けた前記地上装置は、制御対象の前記信号機に停止現示の表示を指示すると共に、前記列車を停止させる位置が前記踏切装置の警報制御が開始される警報開始点を超えると判断された場合に、前記踏切制御装置に対して前記警報制御が開始されないように指示する
ことを特徴とする運行管理システム。
【請求項７】
前記運行管理装置は、列車ごとに停止させる位置を決定すると共に、列車ごとの停止位置に応じた信号機を選択し、前記地上装置を介して、選択した前記信号機に対して停止現示を指示する
ことを特徴とする請求項５または請求項６に記載の運行管理システム。
【請求項８】
列車の運転を再開させる場合、前記運行管理装置は、前記地上装置を介して前記踏切制御装置の警報制御を行い、
前記踏切制御装置から前記警報制御が行われた旨の完了報告を受け取った後に停止現示の表示を解除する
ことを特徴とする請求項５から請求項７のいずれか１項に記載の運行管理システム。
【請求項９】
列車に搭載されて無線列車制御システムの一部を構成する車上装置から伝送された列車位置情報に基づいて、複数の列車の運行を管理する運行管理装置と、前記列車が走行する路線に設けられる踏切装置への警報制御を行う踏切制御装置と、前記車上装置、前記踏切制御装置および前記運行管理装置との間で、情報または指示を含む信号の授受を行う地上装置と、を備えた踏切制御システムであって、
前記運行管理装置は、前記踏切装置の警報制御が開始される警報開始点に到達した前記列車の運行を一時的に停止する抑止の指示を前記地上装置に送出し、
前記抑止の指示を受けた前記地上装置は、前記車上装置に前記列車を前記踏切装置の手前に停止させる際の限界位置である停止限界の設定を指示すると共に、前記踏切制御装置に前記警報制御の中断を指示する
ことを特徴とする踏切制御システム。
【請求項１０】
列車に搭載されて無線列車制御システムの一部を構成する車上装置から伝送された列車位置情報に基づいて、複数の列車の運行を管理する運行管理装置と、前記列車が走行する路線に設けられる踏切装置への警報制御を行う踏切制御装置と、前記車上装置、前記踏切制御装置および前記運行管理装置との間で、情報または指示を含む信号の授受を行う地上装置と、を備えた踏切制御システムであって、
前記運行管理装置は、前記列車の運行を一時的に停止する抑止の指示を前記地上装置に送出し、
前記抑止の指示を受けた前記地上装置は、前記車上装置に前記列車を前記踏切装置の手前に停止させる際の限界位置である停止限界の設定を指示すると共に、前記停止限界が前記踏切装置の警報制御が開始される警報開始点を超えると判断された場合に、前記踏切制御装置に前記警報制御が開始されないように指示する
ことを特徴とする踏切制御システム。
【請求項１１】
信号機を用いる列車制御システムの一部を構成する列車位置検知装置から伝送された列車位置情報に基づいて、複数の列車の運行を管理する運行管理装置と、前記列車が走行する路線に設けられる踏切装置への警報制御を行う踏切制御装置と、前記列車位置検知装置、前記踏切制御装置、前記信号機および前記運行管理装置との間で、情報または指示を含む信号の授受を行う地上装置と、を備えた踏切制御システムであって、
前記運行管理装置は、前記踏切装置の警報制御が開始される警報開始点に到達した前記列車の運行を一時的に停止する抑止の指示を前記地上装置に送出し、
前記抑止の指示を受けた前記地上装置は、制御対象の前記信号機に停止現示の表示を指示すると共に、前記踏切制御装置に前記警報制御の中断を指示する
ことを特徴とする踏切制御システム。
【請求項１２】
信号機を用いる列車制御システムの一部を構成する列車位置検知装置から伝送された列車位置情報に基づいて、複数の列車の運行を管理する運行管理装置と、前記列車が走行する路線に設けられる踏切装置への警報制御を行う踏切制御装置と、前記列車位置検知装置、前記踏切制御装置、前記信号機および前記運行管理装置との間で、情報または指示を含む信号の授受を行う地上装置と、を備えた踏切制御システムであって、
前記運行管理装置は、前記列車の運行を一時的に停止する抑止の指示を前記地上装置に送出し、
前記抑止の指示を受けた前記地上装置は、制御対象の前記信号機に停止現示の表示を指示すると共に、前記列車を停止させる位置が前記踏切装置の警報制御が開始される警報開始点を超えると判断された場合に、前記踏切制御装置に前記警報制御が開始されないように指示する
ことを特徴とする踏切制御システム。
【請求項１３】
踏切装置および当該踏切装置への警報制御を行う踏切制御装置が設置された路線を走行する列車に搭載されて無線列車制御システムの一部を構成する車上装置からの列車位置情報を地上装置を介して受信し、受信した前記列車位置情報に基づいて複数の列車の運行を管理する運行管理装置であって、
前記地上装置から前記車上装置に対して前記列車を前記踏切装置の手前に強制的に停止させる際の限界位置である停止限界の設定が指示され、且つ、前記踏切制御装置に対して警報制御の中断が指示されるように、前記踏切装置の警報制御が開始される警報開始点に到達した前記列車の運行を一時的に停止する抑止の指示を前記地上装置に送出する
ことを特徴とする運行管理装置。
【請求項１４】
踏切装置および当該踏切装置への警報制御を行う踏切制御装置が設置された路線を走行する列車に搭載されて無線列車制御システムの一部を構成する車上装置からの列車位置情報を地上装置を介して受信し、受信した前記列車位置情報に基づいて複数の列車の運行を管理する運行管理装置であって、
前記地上装置から前記車上装置に対して前記列車を前記踏切装置の手前に停止させる際の限界位置である停止限界の設定が指示されるように前記列車の運行を一時的に停止する抑止の指示を前記地上装置に送出すると共に、
前記停止限界が、前記踏切装置の警報制御が開始される警報開始点を超えると判断された場合には、前記踏切制御装置に対して前記警報制御が開始されないようにする指示を前記地上装置に送出する
ことを特徴とする運行管理装置。
【請求項１５】
踏切装置および当該踏切装置への警報制御を行う踏切制御装置が設置された路線を走行する列車に搭載され、信号機を用いる列車制御システムの一部を構成する列車位置検知装置からの列車位置情報を地上装置を介して受信し、受信した前記列車位置情報に基づいて複数の列車の運行を管理する運行管理装置であって、
前記地上装置から制御対象の前記信号機に対して停止現示の表示が指示され、且つ、前記踏切制御装置に対して警報制御の中断が指示されるように、前記踏切装置の警報制御が開始される警報開始点に到達した前記列車の運行を一時的に停止する抑止の指示を前記地上装置に送出する
ことを特徴とする運行管理装置。
【請求項１６】
踏切装置および当該踏切装置への警報制御を行う踏切制御装置が設置された路線を走行する列車に搭載され、信号機を用いる列車制御システムの一部を構成する列車位置検知装置からの列車位置情報を地上装置を介して受信し、受信した前記列車位置情報に基づいて複数の列車の運行を管理する運行管理装置であって、
前記地上装置から制御対象の前記信号機に対して停止現示の表示が指示されるように前記列車の運行を一時的に停止する抑止の指示を前記地上装置に送出すると共に、
前記列車を前記踏切装置の手前に停止させる際の限界位置である停止限界が、前記踏切装置の警報制御が開始される警報開始点を超えると判断された場合には、前記踏切制御装置に対して前記警報制御が開始されないようにする指示を前記地上装置に送出する
ことを特徴とする運行管理装置。